(57)【要約】【課題】作物収容体の内部で作物等から発生する塵埃が発光器具に付着して照明の明るさが低下することを防ぐこと。【解決手段】作物が収容される収容室（１０１）と収容室の側壁面に設けられて作物の収容量を外部から確認する透視窓（１１７）とを有する作物収容体（１００）の収容室内を照明する装置であって、収容室の天井部（１００ａ）に設けられる照明設置用の開口部（１２２）を外部から塞ぐ状態で取り付けられる、底面部（２６）が開口した箱体（２）と、箱体の内部に装着されて照明用の光を発する発光器具（３）と、箱体のうち発光器具よりも下方の位置でかつ収容室の天井部（１００ａ）よりも上方の位置になる部位に設けられる透明仕切り板（４）とを備えた作物収容体用の照明装置（１）。【選択図】図６
2020047486.tif 000002
【特許請求の範囲】
【請求項１】
作物が収容される収容室と前記収容室の側壁面に設けられて作物の収容量を外部から確認する透視窓とを有する作物収容体の前記収容室内を照明する装置であって、
前記収容室の天井部に設けられる照明設置用の開口部を外部から塞ぐ状態で取り付けられる、底面部が開口した箱体と、
前記箱体の内部に装着されて照明用の光を発する発光器具と、
前記箱体の内部を前記発光器具よりも下方の位置でかつ前記収容室の天井部よりも上方の位置で仕切るよう設けられる透明仕切り板と、
を備えていることを特徴とする作物収容体用の照明装置。
【請求項２】
前記透明仕切り板が、前記箱体の内部に存在する部分を前記箱体の外側に移動可能に設けられており、
前記箱体に、前記透明仕切り板を通過させる通過口が設けられているとともに、前記透明仕切り板の少なくとも下面を前記通過口で接触して清掃する清掃部材が設けられていることを特徴とする請求項１に記載の作物収容体用の照明装置。
【請求項３】
前記箱体に、前記透明仕切り板の少なくとも下面に吹き付ける空気を噴射する空気噴射部材が設けられていることを特徴とする請求項１に記載の作物収容体用の照明装置。
【請求項４】
前記箱体に、前記発光器具を変位させる変位手段が設けられていることを特徴とする請求項１乃至３のいずれか１項に記載の作物収容体用の照明装置。
【請求項５】
前記透明仕切り板を移動させる移動装置と、前記移動装置を作動させるよう操作する第１操作手段と、を備え、
前記第１操作手段が前記作物収容体の下部に配置されていることを特徴とする請求項２に記載の作物収容体用の照明装置。
【請求項６】
前記空気噴射部材に空気を供給する配管を備え、
前記配管が前記空気噴射部材から前記作物収容体の下部に達するまで設けられているとともに、前記配管の下端部が空気の注入口として使用されるよう構成されていることを特徴とする請求項３に記載の作物収容体用の照明装置。
【請求項７】
前記変位手段を作動させるよう操作する第２操作手段を備え、
前記第２操作手段が前記作物収容体の下部に配置されていることを特徴とする請求項４に記載の作物収容体用の照明装置。
【請求項８】
作物を収容する収容室と前記収容室の側壁面に設けられて作物の収容量を外部から確認する透視窓とを有する作物収容体と、前記作物収容体の収容室内を照明する照明装置とを備えた作物収容機であって、
前記照明装置が、請求項１乃至７のいずれか１項に記載の作物収容体用の照明装置で構成されていることを特徴とする作物収容機。
【請求項９】
作物を収容する収容室と前記収容室に収容した作物を乾燥させる乾燥室と前記収容室の側壁面に設けられて作物の収容量を外部から確認する透視窓とを有する作物収容体と、前記作物収容体の収容室内を照明する照明装置とを備えた作物乾燥機であって、
前記照明装置が、請求項１乃至７のいずれか１項に記載の作物収容体用の照明装置で構成されていることを特徴とする作物乾燥機。
【発明の詳細な説明】
【技術分野】
【０００１】
この発明は、作物収容体用の照明装置並びにその照明装置を用いた作物収容機および作物乾燥機に関するものである。
【背景技術】
【０００２】
作物収容体に収容した作物の収容量を目視により確認する技術としては、例えば特許文献１に記載の技術が知られている。
特許文献１（特許第４３９４７７７号公報）には、穀物（穀粒）を収容して乾燥させる穀物乾燥機において、穀物を貯留するとともに張込んだ穀物のレベルを目視により確認する覗き窓を前面側の壁に設けた上箱の天板に取付台を設け、それに覗き窓の内側に対し上箱内から光線を投射する灯光器を装設した穀物乾燥機が記載されている。
また特許文献１には、上記灯光器として、上箱の天板に設けた取付台に開設した窓穴の上に、内面側を反射鏡にしたフードを取り付け、それに電球を装着することで構成されるものが記載されている。
【先行技術文献】
【特許文献】
【０００３】
【特許文献１】特許第４３９４７７７号公報（請求項１、段落００２４、図４〜図６）
【発明の概要】
【発明が解決しようとする課題】
【０００４】
しかしながら、特許文献１に記載の灯光器は、上箱に収容した穀物から発生する塵埃が灯光器におけるフード内に侵入して電球に付着しやすく、それに伴いその電球から発せられる光の明るさが低下しやすくなる。
このため、上記灯光器を設けた穀物乾燥機においては、灯光器の電球に塵埃が付着し始めると、その電球の光で照明される上箱内における穀物の収容量を上箱における覗き窓を通して目視により確認することが次第に難しくなる。
【０００５】
この発明は、作物収容体の内部で作物等から発生する塵埃が発光器具に付着して照明の明るさが低下することを防ぐことを技術的課題とする。
【課題を解決するための手段】
【０００６】
本発明の上記課題は、次の解決手段により解決される。
請求項１に記載の発明は、作物が収容される収容室と前記収容室の側壁面に設けられて作物の収容量を外部から確認する透視窓とを有する作物収容体の前記収容室内を照明する装置であって、
前記収容室の天井部に設けられる照明設置用の開口部を外部から塞ぐ状態で取り付けられる、底面部が開口した箱体と、
前記箱体の内部に装着されて照明用の光を発する発光器具と、
前記箱体の内部を前記発光器具よりも下方の位置でかつ前記収容室の天井部よりも上方の位置で仕切るよう設けられる透明仕切り板と、
を備えていることを特徴とする作物収容体用の照明装置である。
【０００７】
請求項２に記載の発明は、前記透明仕切り板が、前記箱体の内部に存在する部分を前記箱体の外側に移動可能に設けられており、前記箱体に、前記透明仕切り板を通過させる通過口が設けられているとともに、前記透明仕切り板の少なくとも下面を前記通過口で接触して清掃する清掃部材が設けられていることを特徴とする請求項１に記載の照明装置である。
請求項３に記載の発明は、前記箱体に、前記透明仕切り板の少なくとも下面に吹き付ける空気を噴射する空気噴射部材が設けられていることを特徴とする請求項１に記載の照明装置である。
請求項４に記載の発明は、前記箱体に、前記発光器具を変位させる変位手段が設けられていることを特徴とする請求項１乃至３のいずれか１項に記載の照明装置である。
請求項５に記載の発明は、前記透明仕切り板を移動させる移動装置と、前記移動装置を作動させるよう操作する第１操作手段と、を備え、前記第１操作手段が前記作物収容体の下部に配置されていることを特徴とする請求項２に記載の照明装置である。
請求項６に記載の発明は、前記空気噴射部材に空気を供給する配管を備え、前記配管が前記空気噴射部材から前記作物収容体の下部に達するまで設けられているとともに、前記配管の下端部が空気の注入口として使用されるよう構成されていることを特徴とする請求項３に記載の照明装置である。
請求項７に記載の発明は、前記変位手段を作動させるよう操作する第２操作手段を備え、前記第２操作手段が前記作物収容体の下部に配置されていることを特徴とする請求項４に記載の照明装置である。
【０００８】
請求項８に記載の発明は、作物を収容する収容室と前記収容室の側壁面に設けられて作物の収容量を外部から確認する透視窓とを有する作物収容体と、前記作物収容体の収容室内を照明する照明装置とを備えた作物収容機であって、前記照明装置が、請求項１乃至７のいずれか１項に記載の作物収容体用の照明装置で構成されていることを特徴とする作物収容機である。
請求項９に記載の発明は、作物を収容する収容室と前記収容室に収容した作物を乾燥させる乾燥室と前記収容室の側壁面に設けられて作物の収容量を外部から確認する透視窓とを有する作物収容体と、前記作物収容体の収容室内を照明する照明装置とを備えた作物乾燥機であって、前記照明装置が、請求項１乃至７のいずれか１項に記載の作物収容体用の照明装置で構成されていることを特徴とする作物乾燥機である。
【発明の効果】
【０００９】
請求項１に記載された発明によれば、作物収容体の内部で作物等から発生する塵埃が箱体の内部に侵入することが透明仕切り板により遮断されて阻止されるので、その塵埃が発光器具に付着して照明の明るさが低下することを防ぐことができる。
これにより、作物収容体における収容室内の作物の収容量を目視により収容室の側壁面における透視窓を通して確認することが、その発光器具に塵埃が付着することに起因して難しくなることが起きにくくなる。
【００１０】
請求項２に記載の発明によれば、請求項１に記載の発明の効果に加えて、透明仕切り板を清掃部材により清掃することが可能になり、収容室内の作物の収容量を目視により透視窓を通して確認することを長期にわたって安定して行うことができる。
請求項３に記載の発明によれば、請求項１に記載の発明の効果に加えて、透明仕切り板を空気の吹き付けにより清掃することが可能になり、収容室内の作物の収容量を目視により透視窓を通して確認することを長期にわたって安定して行うことができる。
請求項４に記載の発明によれば、請求項１乃至３に記載の発明の効果に加えて、発光器具の変位により透視窓から外部に漏れる光も動くようになり、収容室内の作物の収容量を目視により透視窓を通して確認することがしやすくなる。
請求項５に記載の発明によれば、請求項２に記載の発明の効果に加えて、透明仕切り板の清掃部材による清掃作業を、収容室の天井部にのぼることがなく収容室の下部にある第１操作手段を操作することで容易に行うことができる。
請求項６に記載の発明によれば、請求項３に記載の発明の効果に加えて、透明仕切り板の空気吹き付けによる清掃作業を、収容室の天井部にのぼることがなく収容室の下部にある配管の下端部から空気を注入することで容易に行うことができる。
請求項７に記載の発明によれば、請求項４に記載の発明の効果に加えて、発光器具を変位させる作業を、収容室の天井部にのぼることがなく収容室の下部にある第２操作手段を操作することで容易に行うことができる。
【００１１】
請求項８に記載の発明によれば、作物収容機の作物収容体における収容室の内部で作物等から発生する塵埃が照明装置における発光器具に付着して照明の明るさが低下することが防止され、これにより収容室内の作物の収容量を目視により透視窓を通して確認することを適切に行うことができる。
請求項９に記載の発明によれば、作物乾燥機の作物収容体における収容室の内部で作物等から発生する塵埃が照明装置における発光器具に付着して照明の明るさが低下することが防止され、これにより収容室内の作物の収容量を目視により透視窓を通して確認することを適切に行うことができる。
【図面の簡単な説明】
【００１２】
【図１】（Ａ）は実施の形態１に係る照明装置等を適用した作物乾燥機の正面側の斜め右上から見たときの外観を示す斜視図、（Ｂ）はその作物乾燥機の背面側の斜め左上から見たときの外観を示す斜視図である。
【図２】作物乾燥機の正面側から見たときの内部を示す概要図である。
【図３】作物乾燥機の右側面側から見たときの内部を示す概要図である。
【図４】照明装置の外観および取り付け位置を示す概略斜視図である。
【図５】図４の照明装置の正面図および背面図である。
【図６】図４の照明装置の構成を示す概略断面図である。
【図７】図４の照明装置の一部を示し、（Ａ）は透明仕切り板の構成を示す概略断面図、（Ｂ）は（Ａ）のＢ−Ｂ線に沿う概略断面図である。
【図８】（Ａ）は透明仕切り板を格納しているときの状態を示す概略断面図、（Ｂ）は透明仕切り板を引き出したときの状態を示す概略断面図である。
【図９】（Ａ）は照明装置の設置の状態を示す概略平面図、（Ｂ）は（Ａ）の照明装置の内部の状態を拡大して示す概要図である。
【図１０】作物乾燥機に設置した照明装置の使用状態を示す概略断面図である。
【図１１】実施の形態２に係る照明装置を適用した作物乾燥機を示す概要図である。
【図１２】図１１の照明装置における移動装置の一構成例を示し、（Ａ）はその移動装置の一状態を示す概要図、（Ｂ）はその移動装置により透明仕切り板を引き出した状態を示す概要図である。
【図１３】図１１の照明装置における移動装置の他の構成例を示し、（Ａ）はその移動装置の一状態を示す概要図、（Ｂ）はその移動装置により透明仕切り板を引き出した状態を示す概要図である。
【図１４】実施の形態３に係る照明装置を適用した作物乾燥機を示す概要図である。
【図１５】図１４の照明装置における空気噴出部材および空気供給装置を示し、（Ａ）はその空気噴出部材および空気供給装置の構成を示す概略断面図、（Ｂ）は空気噴出部材の構成を示す概略断面図である。
【図１６】実施の形態３に係る照明装置の変形例を示す概要図である。
【図１７】（Ａ）は実施の形態４に係る照明装置を示す概要図、（Ｂ）はその照明装置を適用した作物乾燥機を示す概要図である。
【図１８】実施の形態１，２に係る照明装置の変形例を示し、（Ａ）はその照明装置の透明仕切り板を格納しているときの状態を示す概略斜視図、（Ｂ）はその照明装置の透明仕切り板を露出させたときの状態を示す概略斜視図である。
【発明を実施するための形態】
【００１３】
以下、本発明の実施の形態について、図面を参照しながら説明する。
【００１４】
［実施の形態１］
図１から図６は、本発明の実施の形態１に係る照明装置１Ａを適用した作物乾燥機１００を示している。図１から図３はその作物乾燥機１００の外観や内部を示している。また、図４から図６はその照明装置１Ａの外観や内部の概要を示している。
【００１５】
＜作物乾燥機の構成＞
作物乾燥機１００は、上方側に配置されて穀物等の作物を収容する収容室１０１と、収容室１０１の下方側に連続して配置されて作物を乾燥する乾燥室１０２を備えている。
このうち収容室１０１は、直方体状の収容空間を有する箱型の部分である。また、乾燥室１０２は、正面側に配置された燃焼バーナ１０６による熱風を正面側から背面側に通過させる筒状の熱風室１０３と、熱風室１０３を左右から挟んで下方の中央位置で合流するよう設けられて熱風および作物を通過させる流下通路１０４と、流下通路１０４の左右外側に設けられて流下通路１０４を通過した熱風を背面側に配置された排気ファン１０７により吸引する排風室１０５とを有している。
収容室１０１と乾燥室１０２は作物収容体を構成するが、作物収容体はその収容室１０１と乾燥室１０２に付属する他の機器も含まれる。また、収容室１０１と乾燥室１０２は、遮光性の部材で構成されていてかつほぼ密閉された構造になっているため、薄暗い空間になっている。
【００１６】
また、作物乾燥機１００は、その正面側に作物を上方に運ぶバケット式の昇降機１０８を備えている。
昇降機１０８は、その下部側において作物を投入する張込ホッパ１０９と接続されており、その上部側において運ばれた作物を収容室１０１に移送する上部移送機１１０と接続されている。上部移送機１１０は、昇降機１０８から受けた作物を収容室１０１の天井部１００ａのほぼ中央の位置まで搬送する搬送路を有し、また、その搬送路の末端部において収容室１０１の内部に入り込んだ位置で回転する拡散羽根１１１を配置している。上部移送機１１０は、その搬送路にて搬送される作物を終端部から収容室１０１に落下させるとともに拡散羽根１１１により収容室１０１内に拡散させながら落下させる。
一方、作物乾燥機１００は、乾燥室１０２の下部に、流下通路１０４を流下して合流した作物を所要の量ずつ繰り出すロータリバルブ等からなる排出装置１１２を設けている。また、排出装置１１２の下方には、繰り出された作物を作物乾燥機１００の正面側に移送するとともに昇降機１０８に送り込む下部移送機１１３を設けている。
【００１７】
さらに、作物乾燥機１００は、その正面側に、制御部を内蔵する操作盤１１４を備えている。
操作盤１１４には、動作状態、動作条件等に関する情報画面を表示して入力操作を行うことができる表示操作パネルや、以下に例示する各運転の実行や停止を指示するためのスイッチ等が配置されている。操作盤１１４では、張込運転、循環運転、乾燥運転、排出運転等の運転の実行および停止を選択して指示する操作を行うことができる。
【００１８】
ここで、張込運転は、張込ホッパ１０９から投入されて張り込まれた作物を昇降機１０８および上部移送機１１０により収容室１０１にまで移送して収容する（張り込む）運転である。循環運転は、収容室１０１に収容された作物を排気ファン１０７による通風を行いながら排出装置１１２、下部移送機１１３、昇降機１０８、上部移送機１１０等の駆動により循環移動させる運転である。
また、乾燥運転は、循環運動に加えて、燃焼バーナ１０６を駆動して収容室１０１に収容された作物を循環移動させるとともに乾燥させる運転である。排出運転は、乾燥運転の終了後に、収容室１０１に収容された作物を循環移動させるとともに、昇降機１０８の上端部と上部移送機１１０の間に配置された排出ホッパ１１５における図示しない排出シャッタを開いた状態にして張り込んだ作物を機外に排出する運転である。
【００１９】
図１等において符号１は収容室１０１の内部を照明する照明装置、符号１１７は収容室１０１の正面になる側壁面１０１ａに設けられて作物の収容量を外部から目視で確認する透視窓、符号１１８は昇降機１０８にて運ばれる作物の一部を採取して水分量を自動で計測する水分計である。透視窓１１７は、透光性を有する部材で構成された窓であり、収容室１０１の側壁面１０１ａの上下方向に対してほぼ等間隔に複数設けられている。
また、符号１１９は作物乾燥機１００の点検等の作業を行う際に使用する作業用はしご、符号１２０は作物乾燥機１００を設置する設置面９等において移動させるときに使用するストッパ付きのキャスタを示す。さらに、符号１３０は収容室１０１、乾燥室１０２、熱風室１０３、流下通路１０４、排風室１０５等を外側から支持する複数の柱フレーム、符号１３１は各柱フレームを水平方向に連結する複数の連結フレームを示す。
【００２０】
＜照明装置の構成＞
次に、照明装置１Ａは、図４から図１０に示されるように、作物が収容される収容室１０１と収容室１０１の側壁面１０１ａに設けられる透視窓１１７とを有する作物乾燥機１００の収容室１０１内を照明する装置であり、底面部が開口した箱体２と、発光器具３と、箱体２の内部を仕切る透明仕切り板４とを少なくとも備えている。
【００２１】
箱体２は、図４、図６、図９、図１０等に示されるように、収容室１０１の天井部１００ａに設けられる照明設置用の開口部１２２を外部から塞ぐ状態で取り付けられる構造物である。この箱体２は、縦長の４枚の側板２１，２２，２３，２４と天板２５とで囲まれた直方体状の内部空間を有するよう構成されているとともに、その天板２５と反対側の部位である底面部２６が開口されている。
【００２２】
側板２１，２２，２３，２４は、正面板２１と背面板２２と左右の側面板２３，２４になる。このうち左右の側面板２３，２４は、正面板２１および背面板２２よりも幅の広い側板になっている。また、各側板２１，２２，２３，２４の下部には、外側にそれぞれ折り曲げた曲げ部２１ａ，２２ａ，２３ａ，２４ａが設けられている。また、天板２５は、長方形の天面の４辺から下方に垂下するよう曲げられた曲げ部が形成されており、側板２１，２２，２３，２４で形成される筒体の上部開口部に対して着脱可能に取り付けられている。
【００２３】
発光器具３は、箱体２の内部に装着されて照明用の光を発する器具である。
発光器具３は、図６に示されるように、発光する発光部３１と発光部３１を保持する保持部３２とで構成されている。
【００２４】
発光部３１は、収容室１０１内を照明する光を発生する部分であり、例えば、電球式のＬＥＤランプを用いて構成される。また、発光部３１は、その光を発する面が照明設置用の開口部１２２に向くようような姿勢に保持される。
一方、保持部３２は、発光部３１を保持して電気を供給するとともに箱体２の天板２５等に取り付けるための部分である。この保持部３２は、例えば、取付けブラケット付きのソケット形式の部材を用いて構成される。保持部３２には、箱体２の天板２５に設ける通し孔２５ｂと封止部材を通して配線される給電用コード３３が接続されており、これにより発光部３１に必要な電気が供給されるようになっている。給電用コード３３は、例えば操作盤１１４における電源装置に接続されている。
【００２５】
透明仕切り板４は、箱体２の内部を発光器具３よりも下方の位置でかつ収容室１０１の天井部１００ａよりも上方の位置で仕切るように設けられる、透明性を有する板状の仕切り部材である。
透明仕切り板４は、４枚の側板２１，２２，２３，２４で囲まれて形成される内部の平面形状（長方形）と対応する平面形状からなるとともに所要の厚さからなる透明板を用いて構成されている。この透明仕切り板４としては、例えば、無色透明のアクリル板又はポリ塩化ビニル板が適用される。また、透明仕切り板４は、発光器具３から発する光を透過させることが可能な透明性を有するものであればよく、例えば薄く着色された透明性を有するものであっても適用可能である。
【００２６】
また、透明仕切り板４は、図６や図７に示されるように、箱体２の内部のうち収容室１０１の天井部１００ａよりも上方になる位置に設けられている。
このときの透明仕切り板４は、その下面４ａの天井部１００ａの内壁面（天井面）１０１ｃからの距離Ｄが例えば３ｍｍ以上でかつ４０ｍｍ以下の範囲内の寸法になる位置に配置するとよい。この距離Ｄが上記下限値より小さい寸法になる場合は、後述する透明仕切り板４が移動した際に発生する擦れかすが天井部１００ａと透明仕切り板４の間に溜まることで透明仕切り板４が移動しにくくなる等の不具合がある。反対に、この距離Ｄが上記上限値を超える寸法になる場合は、透明仕切り板４と天井部１００ａとの間に多量の擦れかすが溜まる等の不具合がある。
【００２７】
さらに、この透明仕切り板４は、図６から図８に示されるように、箱体２の内部に存在する部分４１を箱体２の外側に引き出すよう移動可能に設けられている。
このため、箱体２には、透明仕切り板４（の箱体２の内部に存在する部分４１）を通過させる通過口２７が設けられているとともに、その内部に透明仕切り板４を移動可能に支持する支持レール４３が設けられている。
また、箱体２には、透明仕切り板４の上面４ａおよび下面４ｂをその移動時に通過口２７で接触して清掃する清掃部材５が設けられている。
【００２８】
通過口２７は、箱体２の背面板２２の下部側に水平方向に直線状に延びるスリット状の開口部として形成されている。透明仕切り板４は、箱体２の内部に存在する部分（以下、「内在する部分」とも略称する。）４１の他に、この通過口２７から箱体２の外部に露出する部分４２を有する大きさで構成されている。
支持レール４３は、２枚の板材を所要の間隔を開けて上下に平行な状態で対向配置した上面支持レール４３ａおよび下面支持レール４３ｂで構成されている。上面支持レール４３ａと下面支持レール４３ｂは、通過口２７が箱体２の背面板２２に設けられているため、箱体２の左側面板２３および右側面板２４の下部側に、その両者の間隙が通過口２７の高さとほぼ一致するような状態で設けられている。また、上面支持レール４３ａと下面支持レール４３ｂは、透明仕切り板４の厚さよりも少し大きい寸法の間隔をあけた状態で配置される。
【００２９】
ここで、通過口２７の高さＨについては、少なくとも透明仕切り板４の厚さよりも少し大きい寸法に設定されるが、好ましくは、図７（Ｂ）に示されるように支持レール４３の間隙Ｓよりも大きい寸法に設定される。この際、通過口２７は、その上辺２７ａおよび下辺２７ｂが支持レール４３の間隙Ｓよりも上下方向の外側に位置するよう形成される。
このように構成した場合は、透明仕切り板４がその移動時に通過口２７に擦れるおそれが少なくなり、これにより、例えば透明仕切り板４の通過口２７との擦れで発生する擦れかすが収容室１０１内に落下してしまうことを低減できる。
【００３０】
また、透明仕切り板４の露出する部分４２の一端部には、図６から図８に示されるように、透明仕切り板４を外部に引き出す方向Ｅ１と内部に押し込む方向Ｅ２に移動させるときに掴む取っ手４６が設けられている。
取っ手４６は、図７に示されるように、板材の手前側の端部を上方に曲げた第１曲げ部４６ａを有する形状の部材で構成されており、透明仕切り板４の露出する部分４２の上面にねじ等の固定手段により固定されて取り付けられている。
また、取っ手４６は、箱体２に近い側の端部を曲げた第２曲げ部４６ｂが、透明仕切り板４を押し込む方向Ｅ２に移動させたときに、箱体２の背面板２２に取り付けられたブラケット４８ａに接触して停止するようになっている。また、取っ手４６は、第２曲げ部４６ｂに設けた貫通孔を、ブラケット４８ａから突出するよう設けられた突出ピン４８ｂに嵌め入れた後、透明仕切り板４を移動させる必要がないときに、図示しないねじ等の固定手段で一時的に固定できるようにも構成されている。
【００３１】
さらに、透明仕切り板４の内在する部分４１の一端部には、図６や図７に示されるように、透明仕切り板４を外部に引き出す方向Ｅ１に移動させたときに所望の位置で停止させられる停止部材４７が設けられている。所望の位置は、例えば、透明仕切り板４の内在する部分４１の最も奥の端部が通過口２７から箱体２の外部に引き抜かれない位置に設定される。
停止部材４７は、透明仕切り板４の内在する部分４１の一端部における上面４ａから上方に突出して通過口２７の上辺２７ａに接触することにより停止する形状の部材を用いて構成されている。停止部材４７は、例えば、ねじ、接着剤等の固定手段により透明仕切り板４の内在する部分４１の一端部における上面４ａに取り付けられている。
【００３２】
清掃部材５は、図６や図７等に示されるように、透明仕切り板４の下面４ｂに接触して清掃する下面清掃部材５１と、透明仕切り板４の上面４ａに接触して清掃する上面清掃部材５２を用いて構成されている。
この下面清掃部材５１と上面清掃部材５２としては、例えば、フェルト（不織布）等の材料にて板状に成形された部材が適用される。
また、下面清掃部材５１と上面清掃部材５２は、箱体２の背面板２２の外面部分において、その清掃面になる端部が透明仕切り板４が存在しないときには通過口２７の高さＨの中間位置で互いに接触し合って通過口２７を塞ぐ状態になるよう配置されている。
さらに、下面清掃部材５１と上面清掃部材５２については、背面板２２から外側に突出して設けられる図示しない取付け用突起に貫通させた状態で取り付けた後、その外側に押え板５５を配置するように取り付け、最後にナット等の締め具５６を取付け用突起に固定することで押え板５５にて押さえつけた状態で取り付けられている。
【００３３】
また、箱体２は、図４から図６や図１０等に示されるように、その開口した底面部２６に、照明設置用の開口部１２２から収容室１０１内に垂下させて存在させる反射板２８が設けられている。
【００３４】
この反射板２８は、図４から図６や図９等に示されるように、箱体２の背面板２２の下端部から下方に延びる平板状の第１反射板２８ａと、箱体２の左側面板２３の下端部から下方に延びる平板状の第２反射板２８ｂと、箱体２の右側面板２４の下端部から下方に延びる平板状の第３反射板２８ｃとを有する部材として構成されている。つまり、この反射板２８は、箱体２の背面板２２、左側面板２３および右側面板２４の各下方側の位置に存在して３面を取り囲む形状になっている一方で、正面板２１の下方側の位置に存在する一面と上記３面で取り囲んだ真下の面が開放された形状になっている。
実施の形態１では、図６に示されるように、照明設置用の開口部１２２が箱体２の前後方向の寸法が底面部２６の前後の開口寸法よりも短い関係になっている。このため、第２反射板２８ｂおよび第３反射板２８ｃの幅は、左側面板２３および右側面板２４の幅よりも狭い寸法になっている。また、反射板２８は、その第１反射板２８ａが収容室１０１の側壁面１０１ａにおける透視窓１１７に向く姿勢になるよう配置されて使用される（図９）。
【００３５】
＜照明装置の設置および使用＞
この照明装置１Ａは、図４や図９に示されるように、作物乾燥機１００の天井部１００ａにおける照明設置用の開口部１２２に設置されて使用される。
【００３６】
はじめに、実施の形態１における照明設置用の開口部１２２は、例えば、図９（Ｂ）に示されるように、長方形状の天井部１００ａの四隅における一隅に、収容室１０１の側壁面１０１ａにおける透視窓１１７に向くよう少し傾いた長方形の開口として設けられている。
このため、照明装置１Ａは、図４、図６、図１０等に示されるように、その反射板２８を照明設置用の開口部１２２から挿し入れて収容室１０１の内部に存在させるとともに、箱体２の側板２１，２２，２３，２４の各曲げ部２１ａ，２２ａ，２３ａ，２４ａを天井部１００ａのうち開口部１２２の周囲部分に設置した状態で取り付けられる。このときの箱体２は、例えばねじ等の固定手段により天井部１００ａに固定される。また、発光器具３の給電用コード３３は、操作盤１１４における電源装置等に接続される。
【００３７】
また、照明装置１Ａは、例えば、操作盤１１４に設けられる図示しない照明用のＯＮ・ＯＦＦスイッチを操作することにより発光器具３の点灯および消灯を任意の時期に行うことができるよう構成されている。さらに、照明装置１Ａは、操作盤１１４を操作することにより選択指示される所定の運転（張込運転、循環運転、乾燥運転、排出運転等）の動作に連動して発光器具３の点灯および消灯が自動的に行われるようにも構成されている。
【００３８】
そして、照明装置１Ａは、例えば、張込動作のときに以下のように使用される。
【００３９】
まず、照明装置１Ａは、オンオフスイッチのオン操作により又は張込動作に連動して自動的に発光器具３が点灯すると、図１０に二点鎖線の矢印で示されるように、その発光器具３から発する照明用の光が、箱体２の内部から透明仕切り板４を透過した後、箱体２の底面部と天井部１００ａにおける照明設置用の開口部１２２とを通過して収容室１０１の内部に照射される。
【００４０】
この際、発光器具３からの光は、収容室１０１に作物が張り込まれて収容されていない段階では、収容室１０１の側壁面１０１ａにある透視窓１１７に発光器具３から直接到達するものや、反射板２８に反射された後に透視窓１１７に到達するものが存在する。この他、発光器具３からの光は、収容室１０１の内部を照明したときに収容室１０１の内壁面等に反射された光の一部として透視窓１１７に到達するものも存在することは言うまでもない。
これにより、透視窓１１７に光が到達した場合は、図１０に二点鎖線の矢印で例示するように、その一部の光Ｋが透視窓１１７を透過して収容室１０１の外部に漏れ出す。
【００４１】
続いて、張込運転により収容室１０１に作物が張り込まれて収容され始めると、複数ある透視窓１１７のうち下位にあるものから作物によって収容室１０１の内部から塞がれた状態になる。
これにより、発光器具３からの光は、作物により内部から塞がれた状態になった透視窓１１７には到達しなくなる一方で、作物で塞がれていない状態の透視窓１１７には到達するようになる。
【００４２】
ここで、例えば、図１０に二点鎖線で示す堆積面２００ａの高さまで作物が収容されていると仮定する。
この場合、その作物の堆積面２００ａの高さより下方に存在する群の透視窓１１７ｂには、発光器具３からの光が届かなくなる。このため、その群の透視窓１１７ｂからは収容室１０１の外部に漏れ出る光Ｋがほとんどなくなり、その群の透視窓１１７ｂは暗い透視窓１１７ｂとして視認される。一方、作物の堆積面２００ａの高さより上方に存在する群の透視窓１１７ａには、発光器具３からの光が届く。このため、その群の透視窓１１７ａからは収容室１０１の外部に漏れ出る光Ｋが存在し、その群の透視窓１１７ａは明るい透視窓１１７ａとして視認される。
【００４３】
したがって、照明装置１Ａが装着された作物乾燥機１００においては、その収容室１０１のうち暗い透視窓１１７ｂとして視認される最上位にある透視窓１１７ｂ（又は明るい透視窓１１７ａの１つ下にある暗い透視窓１１７ａ）までの高さまで作物が収容された状態にあることを知ることができる。
【００４４】
＜照明装置による作用効果＞
そして、作物乾燥機１００においては、照明装置１Ａの有無にかかわらず、張込運転等の各運転が行われるときに収容室１０１に収容される作物等から塵埃が発生して収容室１０１の空き空間などを拡散するよう浮遊する。また、その塵埃の一部が照明装置１Ａに接近するように移動することもある。
しかし、この照明装置１Ａでは、その接近する塵埃が箱体２の内部に侵入することが透明仕切り板４により遮断されて阻止される。
したがって、この照明装置１Ａによれば、その塵埃が箱体２の内部に装着されている発光器具３に付着して照明の明るさが低下することが防止される。これにより、作物乾燥機１００の収容室１０１における作物の収容量を目視により透視窓１１７を通して確認することが、その発光器具３に塵埃が付着することに起因して難しくなることが起きにくくなる。
【００４５】
また、照明装置１Ａは、透明仕切り板４が箱体２の内部において天井部１００ａよりも上方になる位置に配置されているので、透明仕切り板４が天井部１００ａと同じ位置（高さ）に配置されている場合に比べて、塵埃が天井部１００ａに沿って移動して接近しても、その塵埃が透明仕切り板４に直接到達することが少なくなって透明仕切り板４に付着しにくくなる。また、この場合は、収容室１０１に収容される作物が透明仕切り板４に接触することを回避しやすくなる。
しかも、この照明装置１Ａは、箱体２の底面部に収容室１０１の内部に垂下して存在する反射板２８が設けられているので、その反射板２８がない場合に比べて、照明装置１Ａに接近する塵埃が反射板２８で遮られたりあるいは進路を変えられ、塵埃が透明仕切り板４に直接到達することが少なくなって透明仕切り板４に付着しにくくなる。
したがって、照明装置１Ａでは、発光器具３からの光が、塵埃が付着した透明仕切り板４によって透過率が低減してしまうことが抑制されるようになり、このことによっても、照明の明るさが低下することが防止される。
【００４６】
さらに、照明装置１Ａは、透明仕切り板４が箱体２の内部に存在する部分４１を箱体２の外側に移動可能であり、その移動の際に透明仕切り板４の上下面４ａ，４ｂに通過口２７で接触して清掃する清掃部材５（５１，５２）が設けられている。
このため、例えば、透明仕切り板４が塵埃等の付着により汚れている場合は、図８に示されるように、その透明仕切り板４の内在する部分４１を箱体２の外側に少なくとも引き出して移動させたり、再度押し込んで戻すように移動させれば、その上下面４ａ，４ｂが清掃部材５（５１，５２）に接触することで塵埃が除去されて清掃される。これにより、透明仕切り板４は、その透光性が塵埃の付着で低下することが抑制される。
したがって、照明装置１Ａでは、発光器具３からの光の透明仕切り板４における透過率が、透明仕切り板４に塵埃が付着して低減することを防ぐことができ、このことによっても、照明の明るさが低下することが防止される。
【００４７】
ただし、この照明装置１Ａでは、透明仕切り板４を移動させて清掃部材５により清掃する清掃作業を行う際には、作業者が作業用はしご１１９を使用して作物乾燥機１００の天井部１００ａに昇った後、照明装置１Ａにおける透明仕切り板４の取っ手４６を持って透明仕切り板４を移動させる作業を行うことになる。
この際、透明仕切り板４は、引き出し方向Ｅ１への移動と押し込み方向Ｅ２への往復移動を１回行うだけで済む場合もあるが、例えば透明仕切り板４の塵埃等の付着で汚れが落ちにくいときには、その往復移動を複数回行うようにする。いずれにしても、この照明装置１Ａによれば、透明仕切り板４を移動させて清掃する清掃作業を箱体２の外部で簡単に行うことができる。
【００４８】
［実施の形態２］
図１１は、本発明の実施の形態２に係る照明装置１Ｂを適用した作物乾燥機１００を示すものである。
この照明装置１Ｂは、照明装置１Ｂにおける透明仕切り板４の移動を自動で行う構成を追加した点で異なる以外は実施の形態１に係る照明装置１Ａと同じ構成からなるものである。
【００４９】
照明装置１Ｂは、実施の形態１に係る照明装置１Ａに対して、透明仕切り板４を箱体２に対して移動させる移動装置６と、移動装置６を作動させるよう操作する第１操作手段６９とを新たに追加して備えている。
【００５０】
移動装置６は、透明仕切り板４を引き出し方向Ｅ１および押し込み方向Ｅ２に移動させるように駆動する駆動部６ａと、駆動部６ａの動力を透明仕切り板４に伝える伝達部６ｂとを備えた装置である。駆動部６ａは、例えば、ソレノイド等を用いて構成される。
また、移動装置６は、照明装置１Ｂの箱体２とは別体で連結した状態で作物乾燥機１００の天井部１００ａに配置される。ただし、移動装置６は、照明装置１Ｂの箱体２と一体になるように設けるようにしても構わない。
第１操作手段６９は、作物乾燥機１００の下部に装備されている操作盤１１４の一部に操作機能の一部として設けられている。第１操作手段６９は、例えば、移動装置６における駆動部６ａの動作をオンオフする移動用スイッチで構成される。この場合、第１操作手段６９は、透明仕切り板４を引き出し方向Ｅ１に移動させるスイッチと、透明仕切り板４を押し込み方向Ｅ２に移動させるスイッチとに分けれて構成されていてもよい。また、第１操作手段６９は、電力の供給や制御信号の伝達を行う配線６ｃにより、移動装置６における駆動部６ａと接続されている。
【００５１】
この移動装置６と第１操作手段６９を備えた照明装置１Ｂによれば、透明仕切り板４を移動させて清掃部材５により清掃する清掃作業を行う際には、作業者が作物乾燥機１００の天井部１００ａに昇る必要がなく、作物乾燥機１００の下部に配置されている第１操作手段６９を操作することにより容易に行うことができる。
これにより、照明装置１Ｂにおける透明仕切り板４は、移動装置６の駆動部６ａによる動作が伝達部６ｂにより伝えられて引き出し方向Ｅ１と押し込み方向Ｅ２にそれぞれ自動的に移動する。この移動によって透明仕切り板４は、その上下面４ａ，４ｂが箱体２の通過口２７の外側にある清掃部材５１，５２に接触して清掃される。
移動装置６による透明仕切り板４の移動動作は、第１操作手段６９の操作で指示されたときに行うことに代えて、例えば張込運転等の運動が終了した時点で自動的に実行されるように構成してもよい。
【００５２】
また、この照明装置１Ｂにおける移動装置６としては、例えば、図１２や図１３に例示する構成の移動装置６１，６５が適用される。
【００５３】
図１２に示す移動装置６１は、レージトング式のリンク機構６２を適用して駆動部６ａおよび伝達部６ｂを構成したものである。また、この移動装置６１における第１操作手段６９は、リンク機構６２に動力を入力する操作レバー６９ａで構成されている。
【００５４】
移動装置６１におけるリンク機構６２は、透明仕切り板４の取っ手４６に相当する部分に軸６２ａを介して取り付けた２つのリンク６２ｂ，６２ｃを、移動装置６１本体に形成した水平ガイド溝６２ｄに対して移動する移動軸６２ｅに交差するように取り付けられた２つのリンク６２ｆ，６２ｇとジョイント軸で連結したものであり、リンク６２ｆを原動リンクとして構成されている。
【００５５】
また、このリンク機構６２は、原動リンクとしてのリンク６２ｆの自由端を、移動装置６１本体に設けた軸６３ａに対して揺動する揺動バー６３ｂの一端部にワイヤ等の連結手段６３ｃを介して接続している。
揺動バー６３ｂの他端部は、作物乾燥機１００の下部に配置した操作レバー６９ａとワイヤ、ロッド等の連結手段６３ｄで接続されている。操作レバー６９ａは、例えば、下方に下げると連結手段６３ｄを介して揺動バー６３ｂの他端部を下方に下げる力を伝達できるように構成されている。
【００５６】
さらに、このリンク機構６２は、移動装置６１本体と透明仕切り板４の取っ手４６の下部突起４６ａとの間に押付け用のコイルばね６４を設けている。
押付け用のコイルばね６４は、透明仕切り板４を箱体２の内部に押し込む方向Ｅ２に押す力を発生するバネであり、特に透明仕切り板４が箱体２の内部から引き出されるときには縮んだ状態になって透明仕切り板４を押し込む方向Ｅ２に押す力が増大するよう機能するばねである。
また、リンク機構６２は、コイルばね６４に加えて、リンク６２ｃの自由端と天井部１００ａとの間にコイルばね６２ｈを配置し、リンク６２ｃの自由端を上方にむけて弾性的に押すような状態に保つよう構成してもよい。
【００５７】
そして、移動装置６として移動装置６１を適用した照明装置１Ｂでは、透明仕切り板４の移動による清掃作業が不要なときには、第１操作手段６９としての操作レバー６９ａを操作する必要がない。
このときは、図１２（Ａ）に示されるように、照明装置１Ｂにおける透明仕切り板４が押付け用のコイルばね６４の押す力によって押し込む方向Ｅ２に押され続けているので、透明仕切り板４の内在する部分４１が箱体２の内部に収容された状態に保たれている。また、このときリンク機構６２は、透明仕切り板４の取っ手４６にある軸６２ａの位置に対応して全体が伸びた形態になる。
【００５８】
また、この照明装置１Ｂでは、透明仕切り板４の移動による清掃作業が必要なときには、作物乾燥機１００の設置面９に居る作業員が第１操作手段６９としての操作レバー６９ａを操作する。
つまり、このときは、図１２（Ｂ）に示されるように、作業員が操作レバー６９ａを矢印Ｊで示す下方の方向に下げるように操作する。これにより、移動装置６１における揺動バー６３ｂは、軸６３ａを支点にして図中における右側に回るように揺動するので、揺動バー６３ｂの一端部が連結手段６３ｄを介してリンク機構６２におけるリンク６２ｆの端部を持ち上げ、リンク６２ｆの全体を移動軸６２ｅを支点にして左側に回るように揺動させる。また、これによってリンク機構６２は、図１２（Ｂ）に示されるように、揺動バー６３ｂがある側に近づくように移動しながら全体が折り畳まれたような状態になる。
【００５９】
この結果、照明装置１Ｂにおける透明仕切り板４は、移動装置６１のリンク機構６２により引き出される方向Ｅ１に移動させられる。この移動によって透明仕切り板４は、その上下面４ａ，４ｂが箱体２の通過口２７の外側にある清掃部材５１，５２に接触して清掃される。
【００６０】
なお、移動装置６１では、押付け用のコイルばね６４が透明仕切り板４の引き出される方向Ｅ１への移動に伴って縮んだ状態になる。このため、下げた状態の操作レバー６９ａを離すと、その押付け用のコイルばね６４が復元するので、その復元力により透明仕切り板４が押し込む方向Ｅ２に移動させられて、その内在する部分４１が箱体２の内部に戻された状態になる。
このため、この移動装置６１では、透明仕切り板４を押し込む方向Ｅ２に移動させるときに、操作レバー６９ａを持ち上げる等の操作が不要となり、その分、清掃作業時における労力が低減される。また、上記コイルばね６２ｈを配置した場合は、操作レバー６９ａを下げた状態から離すと、そのコイルばね６２ｈが縮んでいた状態（図１２（Ｂ））から復元した状態（図１２（Ａ））になってリンク６２ｇを元の位置に戻すので、これによっても透明仕切り板４が押し込む方向Ｅ２に移動させられて操作レバー６９ａを持ち上げる等の操作が不要になる。
【００６１】
図１３に示す移動装置６５は、透明仕切り板４に取り付けるワイヤ６６を移動させるように動かすワイヤ駆動機構６７を適用して駆動部６ａおよび伝達部６ｂを構成したものである。また、この移動装置６５における第１操作手段６９は、ワイヤ駆動機構６７の動作をオンオフするスイッチ等で構成されている。
【００６２】
移動装置６５におけるワイヤ６６は、その一端部６６ａが照明装置１Ｂにおける透明仕切り板４の内在する部分４１の端部における停止部材４７に固定し、その他端部６６ｂを透明仕切り板４の露出する部分における取っ手４６に固定したワイヤである。ワイヤ６６の一端部６６ａは、箱体２の正面板２１に設ける図示しない貫通孔を通して箱体２の内部に存在し得るようになっている。
また、移動装置６５におけるワイヤ駆動機構６７は、ワイヤ６６のほぼ中間部分を回転ドラム６７ａに巻き付けて保持するとともに、その回転ドラム６７ａを透明仕切り板４の移動させる方向に合わせて所要の方向に電動モータ等の駆動源によって回転させてワイヤ６６の所要の方向に移動させる機構になっている。ワイヤ駆動機構６７は、電力の供給や制御信号の伝達を行う接続配線６７ｂにより第１操作手段６９と接続されている。
さらに、第１操作手段６９は、透明仕切り板４の移動させる方向に応じてワイヤ駆動機構６７における回転ドラム６７ａの回転方向を選択して指示することができるようになっている。
【００６３】
そして、移動装置６として移動装置６５を適用した照明装置１Ｂでは、透明仕切り板４の移動による清掃作業が不要なときには、第１操作手段６９の操作やワイヤ駆動機構６７の作動も不要である。
このときは、図１３（Ａ）に示されるように、ワイヤ６６の初期設定の移動位置により、照明装置１Ｂにおける透明仕切り板４の内在する部分４１が箱体２の内部に収容された状態に保たれている。つまり、この移動装置６５では、ワイヤ駆動機構６７における回転ドラム６７ａの回転して停止したときの位置でワイヤ６６の位置が確定し、そのワイヤ６６が移動しないときには透明仕切り板４も停止した状態に保たれる仕組みになっている。
【００６４】
また、この照明装置１Ｂでは、透明仕切り板４の移動による清掃作業が必要なときには、作物乾燥機１００の設置面９に居る作業員が第１操作手段６９を操作する。
つまり、このときは、図１３（Ｂ）に示されるように、作業員が第１操作手段６９においてワイヤ駆動機構６７の回転ドラム６７ａを矢印で示すように右回転させるよう操作する。これにより、ワイヤ駆動機構６７の回転ドラム６７ａに巻き付かれたワイヤ６６は、その他端部６６ｂが透明仕切り板４の引き出される方向Ｅ１に移動するように動かれる。この際、ワイヤ６６の一端部６６ａも、透明仕切り板４の引き出される方向Ｅ１に同じ距離だけ移動するように動かれる。
【００６５】
この結果、照明装置１Ｂにおける透明仕切り板４は、移動装置６５のワイヤ駆動機構６７により動かれるワイヤ６６の移動と同期して引き出される方向Ｅ１に移動させられる。この移動によって透明仕切り板４は、その上下面４ａ，４ｂが箱体２の通過口２７の外側にある清掃部材５１，５２に接触して清掃される。
また、引き出された透明仕切り板４は、図１３（Ａ）に示されるように、作業員が第１操作手段６９においてワイヤ駆動機構６７の回転ドラム６７ａを矢印で示すように左回転させる操作を行うことにより、ワイヤ６６の移動により透明仕切り板４が押し込まれる方向Ｅ２に移動させられる。
【００６６】
［実施の形態３］
図１４は、本発明の実施の形態３に係る照明装置１Ｃを適用した作物乾燥機１００を示すものである。
この照明装置１Ｃは、照明装置１Ｃにおける透明仕切り板４の少なくとも下面４ｂに吹き付ける空気を噴射する空気噴射部材７を設ける点と、透明仕切り板４を移動可能に設けていない点で異なる以外は実施の形態２に係る照明装置１Ｂと同じ構成からなるものである。
【００６７】
照明装置１Ｃは、箱体２に対して透明仕切り板４を移動可能に設けていない一方で、空気噴射部材７と、空気噴射部材７に空気を送る空気供給装置７５と、空気供給装置７５を作動させるよう操作する第３操作手段７９とを新たに備えている。
【００６８】
まず、照明装置１Ｃにおける透明仕切り板４は、箱体２の内部を発光器具３よりも下方の位置でかつ収容室１０１の天井部１００ａよりも上方の位置で仕切るように設けられている。この場合、透明仕切り板４は、例えば、箱体２の内部で照明装置１Ａにおける支持レール４３の場合と同様の支持レール４３に支持させた状態に設けられる。
ちなみに、照明装置１Ｃにおいても、照明装置１Ａ，１Ｂにおける透明仕切り板４の場合と同様に、透明仕切り板４を引き出し方向Ｅ１および押し込み方向Ｅ２に移動可能に設けても構わない。この移動可能に設ける場合は、透明仕切り板４を箱体２内から取り出してその交換作業等を行うことが可能になる。なおこの場合、清掃装置５は設けない。
【００６９】
空気噴射部材７は、図１５（Ａ）に示されるように、箱体２の例えば背面板２２において透明仕切り板４の下面４ｂに向き合うことが可能な部位に固定した状態で設けられる。
この場合、空気噴射部材７は、図１５（Ｂ）に示されるように、背面板２２の幅よりも長い筒状の本体部７１と、本体部７１の長手方向において間隔をあけて設けられる複数の吹出し孔７２とで構成されたものが適用される。
筒状の本体部７１は、一端部が塞がれてかつ他端部が開放された筒状の部材で構成される。本体部７１は、円筒状の部材が適用されるが、円筒状以外の形状からなる筒状の部材を適用しても構わない。また、本体部７１は、例えば、背面板２２の所要の部位にスリット状の開口部を設け、その開口部に吹出し孔７２が存在するような状態に固定して取り付けられる。
複数の吹出し孔７２は、筒状の本体部７１の長手方向に所要の間隔をあけて所要の数だけ存在するように設けられる。この吹出し孔７２は、透明仕切り板４の下面４ｂに空気を吹き付けることができるような角度で設けられる。
【００７０】
空気供給装置７５は、図１５に示されるように、空気噴射部材７に空気を送る給気部７５ａと、給気部７５ａと空気噴射部材７を接続して空気を送る配管７５ｂとで構成されている。給気部７５ａは、透明仕切り板４の下面４ｂに付着する塵埃等を吹き飛ばすことができる程度の風圧のある空気を送ることができるものであればよく、例えば、エアーコンプレッサ、送風機等を用いて構成される。
【００７１】
第３操作手段７９は、図１４に示されるように、作物乾燥機１００の下部に装備されている操作盤１１４の一部に操作機能の一部として設けられている。第３操作手段７９は、例えば、空気供給装置７５における給気部７５ａの動作をオンオフする空気吹付け用スイッチで構成される。第３操作手段７９は、電力の供給や制御信号の伝達を行う配線７５ｃにより、空気供給装置７５における給気部７５ａと接続されている。
【００７２】
この空気噴射部材７、空気供給装置７５および第３操作手段７９を備えた照明装置１Ｃでは、第３操作手段７９の操作により空気供給装置７５における給気部７５ａを作動させると、図１５（Ｂ）に示されるように、給気部７５ａから二点鎖線で示す空気が配管７５ｂを通して空気噴射部材７に送られ、その空気が空気噴射部材７の複数の吹出し孔７２から透明仕切り板４の下面４ｂにむけて吹き付けられる。この結果、透明仕切り板４は、その下面４ｂに付着している塵埃等が空気で吹き飛ばされ、その下面４ｂが清掃される。
【００７３】
したがって、この空気噴射部材７、空気供給装置７５および第３操作手段７９を備えた照明装置１Ｃによれば、透明仕切り板４を清掃する清掃作業を行う際には、作業者が作物乾燥機１００の天井部１００ａに昇る必要がなく、作物乾燥機１００の下部に配置されている第３操作手段７９を操作することにより容易に行うことができる。
【００７４】
また、この照明装置１Ｃは、空気供給装置７５および第３操作手段７９を設けることに代えて、図１６に示されるように、空気噴射部材７に空気を供給する配管７６を、空気噴射部材７から作物乾燥機１００の下部に達するまで設けるとともに配管７６の下端部７６ｂを空気の注入口として使用されるよう構成するようにしてもよい。
【００７５】
この場合、配管７６の上端部７６ａは、図１６や図１５（Ｂ）に示されるように、空気噴射部材７の本体部７１の開口された端部に接続される。また、配管７６は、作物乾燥機１００の側壁面に対して留め具７６ｃにより固定された状態で取り付けられる。
【００７６】
この空気噴射部材７と配管７６を備えた照明装置１Ｃによれば、透明仕切り板４の下面４ｂを空気の吹き付けにより清掃する清掃作業を行う際には、作業者が作物乾燥機１００の天井部１００ａに昇る必要がなく、作物乾燥機１００の下部に配置されている配管７６の空気の注入口としての下端部７６ｂに、空気注入具７８を挿し込んで空気を注入することにより容易に行うことができる。空気注入具７８としては、例えば、エアーコンプレッサに接続されているエアガンなどが適用される。
これにより、照明装置１Ｃにおける透明仕切り板４は、空気注入具７８により注入された空気が配管７６を通して空気噴射部材７に送られた後、空気噴射部材７における複数の吹出し孔７２から透明仕切り板４の下面４ｂにむけて吹き付けられる。この結果、透明仕切り板４の下面４ｂが空気の吹き付けにより清掃される。
【００７７】
また、空気噴射部材７と配管７６を備えた照明装置１Ｃにおいては、その配管７６の下端部７６ｂに電磁弁を設けてエアーコンプレッサ等の圧縮空気送り装置に接続した構成を採用してもよい。この場合は、電磁弁のオンオフ動作と圧縮空気送り装置のオンオフ動作を、例えば乾燥運転等の運転の終了時にオン状態にして一定の時間だけ空気の空気噴射部材７への供給を自動的に行うように構成すればよい。
【００７８】
［実施の形態４］
図１７は、本発明の実施の形態４に係る照明装置１Ｄを適用した作物乾燥機１００を示すものである。
この照明装置１Ｄは、発光器具３を変位させる変位手段８と変位手段８を作動させるよう操作する第２操作手段８９とを設けた点で異なる以外は実施の形態２に係る照明装置１Ｂと同じ構成からなるものである。
【００７９】
照明装置１Ｄにおける変位手段８は、図１７（Ａ）に示されるように、箱体２の内部において発光器具３を支持軸８１ａを支点にして両矢印Ｐで示すようにほぼ水平方向に揺動させる揺動部８１と発光器具３を支持する支持軸８１ａを両矢印Ｑで示すように上下方向に昇降させるよう往復移動させる昇降部８２との少なくとも一方と、その揺動部８１と昇降部８２を駆動させる駆動部８３とを備えている。
【００８０】
このうち揺動部８１は、例えば、支持軸８１ａを所要の角度範囲内で正逆方向に回転させる機構で構成される。また、昇降部８２は、例えば、支持軸８１ａを支持する支持部材８２ａを、上下に延びるガイド溝８２ｂに沿って上下動させる機構で構成される。さらに、駆動部８３は、揺動部８１での揺動や昇降部８２での昇降を行うために必要な動力を供給する電動モータ、ギヤ機構等を用いて構成される。
また、揺動部８１による揺動と昇降部８２による昇降移動は、予め定める所要の速度や間隔で行われるよう構成される。
【００８１】
第２操作手段８９は、図１７（Ｂ）に示されるように、作物乾燥機１００の下部に装備されている操作盤１１４の一部に操作機能の一部として設けられている。第２操作手段８９は、例えば、変位手段８における揺動部８１と昇降部８２の少なくとも一方の動作をオンオフする変位用スイッチで構成される。第２操作手段８９は、電力の供給や制御信号の伝達を行う配線８３ｃにより、変位手段８における駆動部８３と接続されている。
【００８２】
この変位手段８と第２操作手段８９を備えた照明装置１Ｄでは、第２操作手段８９の操作により変位手段８における駆動部８３により揺動部８１又は昇降部８２を作動させると、図１７（Ａ）に示されるように、箱体２の内部において照明器具３が両矢印Ｐで示すように揺動するか又は両矢印Ｑで示すように上下に昇降移動する。この結果、箱体２から作物乾燥機１００の収容室１０１内に照射される光は、水平方向又は上下方向に揺れ動くように出射される。
【００８３】
したがって、この照明装置１Ｄによれば、変位手段８により発光器具３が水平方向又は上下方向に変位するので、発光器具が変位しない場合に比べて、収容室１０１における透視窓１１７から外部に漏れる光Ｋ（図１０）も揺れ動くように出射されて目立つようになる。このため、この照明装置１Ｄでは、収容室１０１内の作物の収容量を目視により透視窓１１７を通して確認することがしやすくなる。
また、この照明装置１Ｄによれば、変位手段８により発光器具３を変位させる作業を、収容室１０１の天井部１００ａにのぼることがなく収容室１０１の下部にある第２操作手段８９を操作することで容易に行うことができる。
【００８４】
なお、この照明装置１Ｄでは、変位手段８の作動を第２操作手段８９の操作に応じて行うのでなく、変位手段８の作動が張込運転等の運転時に連動して自動で行われるように構成してもよい。
【００８５】
［変形例］
本発明は、実施の形態１−４で例示した内容に何ら限定されるものではなく特許請求の範囲に記載の各発明の要旨を変更しない範囲内で種々の変更が可能であり、例えば、以下に挙げるような変形例も含むものである。
【００８６】
実施の形態１では、照明装置１Ａにおいて透明仕切り板４を箱体２に対して移動可能に設けるとともに透明仕切り板４に接触して清掃する清掃部材５を設ける場合を例示した。しかし、照明装置１Ａは、透明仕切り板４を移動しない状態で設けるとともに清掃部材５を設けないように構成することも可能である。
このように構成した照明装置１Ａにおいては、箱体２に対して透明仕切り板４を移動させて清掃部材５に接触させることで清掃することができなくなるが、収容室１０１で発生する塵埃が箱体２の内部に装着された発光器具３に付着することを透明仕切り板４によって防ぐことができる。
【００８７】
実施の形態１，２では、照明装置１Ａ，１Ｂにおける清掃部材５として、透明仕切り板４の上面４ａおよび下面４ｂに接触する一対の清掃部材５１，５２を設ける場合を例示した。しかし、照明装置１Ａ，１Ｂでは、清掃部材５として、透明仕切り板４の下面４ｂに接触する１つの清掃部材５１を設けるだけでも構わない。
このように構成した照明装置１Ａ，１Ｂでは、透明仕切り板４を矢印Ｅ１，Ｅ２に移動させたときに下面４ｂのみが清掃部材５１で清掃されて上面４ａが清掃されないが、収容室１０１で発生する塵埃は収容室１０１の内部と対向する下面４ｂに付着しやすいので、その下面４ｂの清掃を少なくとも行えば十分である。
【００８８】
実施の形態３では、照明装置１Ｃにおける空気噴射部材７として、透明仕切り板４の下面４ｂに空気を吹き付ける構成を例示した。しかし、照明装置１Ｃでは、空気噴射部材７として、透明仕切り板４の上面４ａおよび下面４ｂの両面に空気を吹き付ける構成の空気噴射部材を適用してもよい。
このように構成した照明装置１Ｃでは、透明仕切り板４の上面４ａおよび下面４ｂの両面が空気の吹き付けにより清掃される。なお、空気噴射部材７により透明仕切り板４の上面４ａにも空気を吹き付ける場合は、その吹き付けた空気が箱体２の内部で滞留して発光器具３に塵埃を付着させてしまうことを回避する等の観点から、例えば、箱体２に排気口を設けたり、あるいは箱体２に透明仕切り板４よりも上方の箱体２の内部の空気を吸引して排出する排気手段を設けるとよい。
【００８９】
実施の形態４では、変位手段８や第２操作手段８９を実施の形態２に係る照明装置１Ｂ（実際には実施の形態４に係る照明装置１Ｄを含まれる）に適用する場合を説明したが、変位手段８や第２操作手段８９については、実施の形態１に係る照明装置１Ａや実施の形態３に係る照明装置１Ｃにも同様に適用することが可能である。
【００９０】
また、実施の形態１，２では、透明仕切り板４の移動可能な構成として、箱体２に対して透明仕切り板４を矢印Ｅ１，Ｅ２で示す方向に直線状に往復移動させる構成例を示した。しかし、透明仕切り板４の移動可能な構成は、これに限定されず、他の移動可能な構成を採用してもよい。
【００９１】
例えば、透明仕切り板４は、図１８に示されるように、直方体状の箱体２における四隅の一角に設けた支持軸４９を支点にして矢印Ｒ１、Ｒ２で示されるように箱体２の内部から外部に移動するように回動する取付構造を採用することができる。Ｒ１は透明仕切り板４を露出させる方向、Ｒ２は透明仕切り板４を格納する方向を示す。
この場合、箱体２の２つの側面に透明仕切り板４を通過させる通過口２９ａ，２９ｂを設けるとともに、清掃部材５として通過口２９ａ，２９ｂの少なくとも下方側に通過口２９ａ，２９ｂの内部に突出するような状態で下面清掃部材５４を設ける。清掃部材５については、好ましくは、通過口２９ａ，２９ｂの中間の高さにおいて接触し合うように配置される上下一対の清掃部材を設けるとよい。また、箱体２の内部には、透明仕切り板４の内在する部分４１が支持される照明装置１Ａにおける支持レール４３の場合とほぼ同様の支持レール４３を設ける。
【００９２】
そして、この構成の透明仕切り板４においては、その清掃作業が必要なときに、支持軸４９を支点にして矢印Ｒ１，Ｒ２で示す両方向に往復するように回動させる。この際、透明仕切り板４は、少なくともその下面４ｂが下面清掃部材５４に接触して通過することにより清掃される。
なお、このように移動可能に設ける透明仕切り板４については、手動で回動させる構成でもよいが、その支持軸４９を正逆方向に回転させる駆動装置を併設して自動で回動させる構成にするとよい。また、このように移動可能に設ける透明仕切り板４は、四角形のものに代えて、円形のものを採用してもよい。この場合は、箱体２の内部のうち透明仕切り板４を配置する部位の形状も円形にしておくとよい。
【００９３】
また、実施の形態１−４では、箱体２として直方体状のものを例示したが、箱体２については底面部が開口されていて発光器具３の装着と出光が可能であれば、他の形状からなる箱体を採用することも可能である。また、照明装置１は、場合によっては、箱体２に反射板２８を設けることを省略することも可能である。
【００９４】
さらに、実施の形態１−４では、照明装置１Ａ−１Ｄを作物乾燥機１００に取り付けて収容室１０１内を照明する場合を示した。しかし、照明装置１Ａ−１Ｄに代表される本発明の照明装置は、作物を収容する他の作物収容体の収容室内を照明する場合に適用することが可能であり、例えば、作物乾燥機１００の乾燥機能を備えず、作物を一時的に収容する作物収容体を備えた作物収容機などにおける収容室内を照明する場合に適用することができる。この他、作物の種類についても特に限定されない。
【符号の説明】
【００９５】
１    照明装置
２    箱体
３    発光器具
４    透明仕切り板
５    清掃部材
６    移動装置
７    空気噴射部材
８    変位手段
２６  底面部
２７，２９  通過口
６９  第１操作手段
７６  配管
７６ｂ  下端部
８９  第２操作手段
１００  作物乾燥機（作物収容体）
１００ａ  天井部
１０１  収容室
１１７  透視窓
１２２  照明設置用の開口部
Ｅ，Ｒ  移動方向
【図１】
2020047486.tif 000003
【図２】
2020047486.tif 000004
【図３】
2020047486.tif 000005
【図４】
2020047486.tif 000006
【図５】
2020047486.tif 000007
【図６】
2020047486.tif 000008
【図７】
2020047486.tif 000009
【図８】
2020047486.tif 000010
【図９】
2020047486.tif 000011
【図１０】
2020047486.tif 000012
【図１１】
2020047486.tif 000013
【図１２】
2020047486.tif 000014
【図１３】
2020047486.tif 000015
【図１４】
2020047486.tif 000016
【図１５】
2020047486.tif 000017
【図１６】
2020047486.tif 000018
【図１７】
2020047486.tif 000019
【図１８】
2020047486.tif 000020